(57)【要約】  自動車（３）におけるカメラ（２）用のホルダ（１）であって、ホルダ（１）は、ガイド（２７）を備えた基体（４）と、基体（４）に少なくとも１つのガイドレール（５，６）を介して結合された、基体（４）に対して旋回可能な保持エレメント（７）と、を少なくとも有しており、保持エレメント（７）は、第１の端部（８）と第２の端部（９）との間で延在長さ（１０）に沿って延びており、第２の端部（９）にカメラ（２）が配置可能であり、第１の端部（８）はガイド（２７）に配置されており、保持エレメント（７）は、第１の端部（８）と第２の端部（９）との間で少なくとも１つのガイドレール（５，６）に旋回可能に結合されており、保持エレメント（７）の旋回（１１）時に、第１の端部（８）がガイド（２７）に沿って変位可能であり、保持エレメント（７）が少なくとも１つのガイドレール（５，６）に沿って変位可能である、自動車（３）におけるカメラ（２）用のホルダ（１）。
2021526475.tif 000002
【特許請求の範囲】
【請求項１】
自動車（３）におけるカメラ（２）用のホルダ（１）であって、該ホルダ（１）は、ガイド（２７）を備えた基体（４）と、該基体（４）に少なくとも１つのガイドレール（５，６）を介して結合された、前記基体（４）に対して旋回可能な保持エレメント（７）と、を少なくとも有しており、前記保持エレメント（７）は、第１の端部（８）と第２の端部（９）との間で延在長さ（１０）に沿って延びており、前記第２の端部（９）に前記カメラ（２）が配置可能であり、前記第１の端部（８）は前記ガイド（２７）に配置されており、前記保持エレメント（７）は、前記第１の端部（８）と前記第２の端部（９）との間で前記少なくとも１つのガイドレール（５，６）に旋回可能に結合されており、前記保持エレメント（７）の旋回（１１）時に、前記第１の端部（８）が前記ガイド（２７）に沿って変位可能であり、前記保持エレメント（７）が前記少なくとも１つのガイドレール（５，６）に沿って変位可能である、自動車（３）におけるカメラ（２）用のホルダ（１）。
【請求項２】
前記ガイド（２７）と、前記少なくとも１つのガイドレール（５，６）とが、互いに対して位置固定的に配置されている、請求項１記載のホルダ（１）。
【請求項３】
前記保持エレメント（７）は、ピン（１２）を介して回動可能に前記少なくとも１つのガイドレール（５，６）に支承されている、請求項１または２記載のホルダ（１）。
【請求項４】
前記保持エレメント（７）は、少なくとも１つのばねエレメント（１３）を介して前記基体（４）に結合されている、請求項１から３までのいずれか１項記載のホルダ（１）。
【請求項５】
前記第１の端部（８）は、前記保持エレメント（７）の出発位置（１４）において、前記ガイド（２７）の係止位置（１５）に配置されている、請求項１から４までのいずれか１項記載のホルダ（１）。
【請求項６】
前記ガイド（２７）は、前記係止位置（１５）に隣接して滑り領域（１６）を有しており、前記係止位置（１５）は、前記滑り領域（１６）に沿った前記保持エレメント（７）の移動のために、第１の力（１７）が必要であり、前記係止位置（１５）からの前記保持エレメント（７）の移動のために、第２の力（１８）が必要であるように、構成されており、第１の力は第２の力よりも小さい、請求項５記載のホルダ（１）。
【請求項７】
前記保持エレメント（７）は、ばねエレメント（１３）を介して前記基体（４）に結合されており、前記ばねエレメント（１３）は、前記保持エレメント（７）の前記出発位置（１４）において最大限に変位している、請求項５または６記載のホルダ（１）。
【請求項８】
前記第１の端部（８）は、回転可能なエレメント（１９）によって形成されており、これによって前記エレメント（１９）は、前記保持エレメント（７）の旋回（１１）時に、前記ガイド（２７）に沿って転動する、請求項１から７までのいずれか１項記載のホルダ（１）。
【請求項９】
前記回転可能なエレメント（１９）は、前記ホルダ（１）の駆動エレメント（２０）を介して、前記保持エレメント（７）の前記旋回（１１）のために駆動可能である、請求項８記載のホルダ（１）。
【請求項１０】
前記ホルダ（１）は、第１のガイドレール（５）と第２のガイドレール（６）とを有している、請求項１から９までのいずれか１項記載のホルダ（１）。
【請求項１１】
ボディ（２３）と、該ボディ（２１）に配置された、請求項１から１０までのいずれか１項記載のホルダ（１）と、を少なくとも有している、自動車（３）。
【請求項１２】
前記ホルダ（１）が前記自動車（３）の側面（２２）に配置されており、保持エレメント（７）が、少なくとも１つのガイドレール（５，６）に沿って、前記自動車（３）の全てのホイールハブ（２３）によって規定された平面（２４）に対してほぼ平行に変位可能である、請求項１１記載の自動車（３）。
【発明の詳細な説明】
【技術分野】
【０００１】
本発明は、自動車のためのカメラ用のホルダに関する。特に、自動車の外側に位置している画像領域を検出するための、ホルダに配置されたカメラが規定されている。特に、カメラは、自動車の公知のサイドミラーに対する代替手段として規定されている。
【背景技術】
【０００２】
自動車用のサイドミラーが知られている。サイドミラーは、個別に調節可能である画像領域を検出するために、自動車のボディに対して回動可能である。
【０００３】
さらに、ホルダを介してボディに配置することができるカメラが知られている。通常、カメラは剛性のホルダを介してボディに結合されている。
【０００４】
独国特許発明第１０２０１２０１５３９５号明細書からは、自動車用の折り畳み可能なカメラアームが知られている。
【０００５】
自動車の運転時に、ホルダまたはカメラと、自動車の外側に配置された別の対象物（別の自動車、人）との接触が、ホルダまたはカメラを損傷してしまう。カメラが固定的に配置されている場合には、別の対象物の損傷も起こり得る。
【発明の概要】
【発明が解決しようとする課題】
【０００６】
本発明の課題は、先行技術に関連して挙げられた問題を少なくとも部分的に解決することである。特に、少なくとも部分的にボディに対して可動であるホルダを提案することが望ましい。
【課題を解決するための手段】
【０００７】
この課題を解決するために、請求項１に記載の特徴を備えたホルダが役立つ。有利な変化形は従属請求項の対象である。特許請求の範囲において個別に挙げられた特徴は、技術的に有意な形式で互いに組み合わせることができ、かつ明細書において説明された事項および／または図面の詳細により補うことができ、本発明の別の実施バリエーションが示される。
【０００８】
自動車におけるカメラ用の（場合によっては代替的にまたは付加的にセンサ用の）ホルダが提案される。ホルダは、ガイドを備えた少なくとも１つの基体と、この基体に少なくとも１つのガイドレールを介して結合された、基体に対して旋回可能な保持エレメントと、を有している。保持エレメントは、第１の端部と第２の端部との間で延在長さに沿って延びている。第２の端部には、カメラが配置可能であるか、または配置されている。第１の端部は、ガイドに配置されている。保持エレメントは、第１の端部と第２の端部との間で少なくとも１つのガイドレールに旋回可能に結合されている。保持エレメントの旋回時に、第１の端部はガイドに沿って変位可能であり、保持エレメントはガイドレールに沿って（基体に対して）変位可能である。
【０００９】
ホルダは、基体を介して特に自動車のボディに配置されていてよい。少なくとも１つのガイドレールは、特に固定的に基体またはボディに結合されている。保持エレメントは、ガイドレールに沿って変位可能に、かつボディに対して可動に配置されている。
【００１０】
特に、保持エレメントは、基体または少なくとも１つのガイドレールに対する旋回時に、および少なくとも１つのガイドレールに沿った変位時に、１つの共通の平面内で移動する。
【００１１】
特に、ガイドと、少なくとも１つのガイドレールとは、互いに対して位置固定的に配置されている。
【００１２】
好適には、保持エレメントは、ピンを介して回動可能に少なくとも１つのガイドレールに支承されている。特に、保持エレメントは、ピンを介して少なくとも１つのガイドレールに沿ってガイドされる。
【００１３】
特に、保持エレメントは、ピンに対して旋回可能である。特に、ピンはガイドレール内で変位可能に配置されている。特に、ピンはガイドレールに対して回動可能に配置されている。代替的には、ピンは、ガイドレールに対して回動不能である。
【００１４】
特に、保持エレメントは、少なくとも１つのばねエレメントを介して基体に結合されている。特に、保持エレメントを回動可能に少なくとも１つのガイドレールに支承しているピンは、ばねエレメントを介して基体に結合されている。
【００１５】
好適には、少なくとも１つのばねエレメントは、引張ばねである。場合によっては、複数のばねエレメントが設けられていてよい。
【００１６】
特に、第１の端部は、保持エレメントの出発位置において、ガイドの係止位置に配置されている。係止位置は、たとえばガイドの凹設部により形成されている。この凹設部内に保持エレメントの係止突起が配置されている。
【００１７】
好適には、ガイドは、係止位置に隣接して滑り領域を有している。係止位置は、滑り領域に沿った保持エレメントの移動のために第１の力が必要であり、係止位置からの保持エレメントの移動のために第２の力が必要であるように構成されている。ここで、第１の力は第２の力よりも小さい。
【００１８】
特に、保持エレメントは、ばねエレメントを介して基体に結合されている。ばねエレメントは、保持エレメントの出発位置において最大限に変位している。出発位置に対する保持エレメントの旋回が増すにつれて、ばねエレメントの変位は次第に減少する。
【００１９】
特に、保持エレメントの旋回をばねエレメントによって支援するか、または（係止位置からの保持エレメントの旋回後に）ばねエレメントによって引き起こすことができる。
【００２０】
特に、第１の端部が、回転可能なエレメントによって形成されているので、このエレメントは、保持エレメントの旋回時にガイドに沿って転動する。回転可能なエレメントは、たとえば円筒体によって形成されていてよい。円筒体は、さもなければ固定的である保持エレメントの一部を形成する。回転可能なエレメントの回転軸線は、特に保持エレメントの旋回の軸線に対して平行に配置されている。
【００２１】
特に、回転可能なエレメントが、ホルダの駆動エレメント（たとえば歯車等）を介して、保持エレメントを旋回させるために駆動可能である。駆動エレメントは、たとえば基体に配置されている。特に、駆動エレメントは、電気的なモータを介して駆動することができる。
【００２２】
特に、第１の端部または回転可能なエレメントとして形成された第１の端部は、少なくとも１つの保持体を介して基体に結合されていてよい。特に、第１の端部は、基体に設けられたガイドに沿って保持体によってガイドすることができる。
【００２３】
特に、ホルダは、第１のガイドレールと、第２のガイドレールとを有している。ガイドレールは、特に互いに対して平行に延びており、保持エレメントは、これらのガイドレールの間に配置されている。
【００２４】
さらに、ボディと、このボディに配置された上述のホルダとを少なくとも有する自動車が提案される。
【００２５】
特に、ホルダは、自動車の側面に配置されている。好適には保持エレメントは、少なくとも１つのガイドレールに沿って、自動車の全てのホイールハブによって規定された平面に対してほぼ平行に変位可能である。
【００２６】
本明細書において提案されるガイドレールおよび保持エレメントの互いに対する方向付けは、たとえば（たとえば対象物との接触によって引き起こされる）保持エレメントの回転時に、保持エレメントがガイドレールに沿って変位することを可能にする。
【００２７】
ホルダに関する説明は、特に自動車にも転用可能であり、逆もまた然りである。
【００２８】
本明細書において使用される数詞（「第１の」、「第２の」、・・・）は、主に、類似した複数の対象物、大きさまたはプロセスを区別するために（のみ）役立つ、すなわち、特に、これらの対象物、大きさまたはプロセス間の互いに対する関連性および／または順序を必ずしも規定するものではないことに予め留意すべきである。関連性および／または順序が必要である場合、このことは本明細書において明示されるか、または具体的に記載された構成の検討時に当業者にとって自明である。
【００２９】
本発明ならびに技術的環境を、以下に添付の図面に基づき詳細に説明する。本発明は、記載された実施例によって制限されるものではないことに留意されたい。特に、別に明記しない限り、図面で説明した事項の部分的な面を抽出し、他の構成要素および本明細書の知識と組み合わせることも可能である。特に、図面および特に図示されたサイズ比は単に概略的なものに過ぎないことに留意されたい。
【図面の簡単な説明】
【００３０】
【図１】自動車の側面図である。
【図２】ホルダの第１の実施バリエーションの側面図である。
【図３】図２に示したホルダの平面図である。
【図４】図３に示したホルダを出発位置で切断した平面図である。
【図５】図４に示したホルダを保持エレメントの旋回後に示す図である。
【図６】ホルダの第２の実施バリエーションの斜視図である。
【図７】図６に示したホルダの出発位置の斜視図である。
【図８】ホルダの第３の実施バリエーションの斜視図である。
【図９】第２の実施バリエーションによるホルダの出発位置の斜視図である。
【図１０】図９に示したホルダの、保持エレメントの旋回中の図である。
【図１１】図９および図１０に示したホルダを完全に旋回させた位置で示す図である。
【発明を実施するための形態】
【００３１】
図１は、自動車３を側面図で示している。自動車３は、取り付けられたホルダ１を有するボディ２３を備えている。ホルダ１は、自動車３の側面２２に配置されている。保持エレメント４は、ガイドレール５，６に沿って、自動車３の全てのホイールハブ２３によって規定された平面２４に対してほぼ平行に変位可能である。
【００３２】
図２は、ホルダ１の第１の実施バリエーションを側面図で示している。図３は、図２に示したホルダ１の平面図である。図４は、図３に示したホルダ１を出発位置１４で切断した平面図である。図５は、図４に示したホルダ１を保持エレメント７の旋回１１の後に示している。図２〜図５を、以下で一緒に説明する。図１に関する説明が参照される。
【００３３】
ホルダ１は、ガイド２７を備えた基体４と、基体４に第１のガイドレール５および第２のガイドレール６を介して結合された、基体４に対して旋回可能な保持エレメント７とを有している。保持エレメント７は、第１の端部８と、第２の端部９との間で延在長さ１０に沿って延びている。第２の端部９には、カメラ２が配置されている。第１の端部８は、ガイド２７に配置されている。保持エレメント７は、第１の端部８と第２の端部９との間で、ガイドレール５，６に旋回可能に結合されている。保持エレメント７の旋回１１時に、第１の端部８は、ガイド２７に沿って変位可能であり、保持エレメント７は（基体４に対して）ガイドレール５，６に沿って変位可能である。
【００３４】
保持エレメント７は、ピン１２を介して回動可能にガイドレール５，６に支承されている。保持エレメント７は、ピン１２を介してガイドレール５，６に沿ってガイドされる。ピン１２、ひいては保持エレメント７は、保持エレメント７がガイドレール５，６に対して旋回１１されるとき、変位２８によって（横方向で）移動する。
【００３５】
この実施バリエーションでは、保持エレメント７は、ピン１２に対して旋回可能である。ピン１２は、ガイドレール５，６内に変位可能に配置されているが、ガイドレール５，６に対して回動可能ではない。
【００３６】
保持エレメント７は、ばねエレメント１３を介して基体４に結合されている。この場合、保持エレメント７を回転可能にガイドレール５，６に支承しているピン１２が、ばねエレメント１３を介して基体４に結合されている。
【００３７】
ばねエレメント１３は、引張ばねである。ばねエレメント１３は、保持エレメント７の出発位置１４において最大限に変位している。出発位置１４に対する保持エレメント７の旋回１１が増すにつれて、ばねエレメント１３の変位は次第に減少する。保持エレメント７の旋回１１は、ばねエレメント１３によって支援されるか、または（係止位置１５からの保持エレメント７の旋回１１後に）ばねエレメントによって引き起こされる。
【００３８】
第１の端部８は、保持エレメント７の出発位置１４において、ガイド２７の係止位置１５に配置されている（図４を参照）。係止位置１５は、ガイド２７の凹設部によって形成されている。この凹設部内に、保持エレメント７の係止突起が配置されている。
【００３９】
ガイド２７は、係止位置１５に隣接して、滑り領域１６を有している。係止位置１５は、滑り領域１６に沿った保持エレメント７の移動のために、第１の力１７が（図５を参照。少なくとも図示の終端位置に到達するまで）必要であり、係止位置１５からの保持エレメント７の移動のために第２の力１８が必要である（図４を参照）ように、構成されている。
【００４０】
保持エレメント７の旋回１１は、この保持エレメント７に配置された、基体４と協働するダンパ２５（代替的または付加的にはダンパ２５は基体４に配置されていてもよい）を介して制限することができる（図５を参照）。
【００４１】
図６は、ホルダ１の第２の実施バリエーションを斜視図で示している。図７は、図６に示したホルダ１の出発位置１４での斜視図である。図６および図７は、以下で一緒に説明する。図２〜図５に関する説明が参照される。
【００４２】
第１の実施バリエーションとは異なり、保持エレメント７の第１の端部８は、回転可能なエレメント１９によって形成されるので、エレメント１９は、保持エレメント７の旋回時にガイド２７に沿って転動する。回転可能なエレメントは、円筒体によって形成され、この円筒体は、さもなければ固定的である保持エレメント７の一部を形成する。回転可能なエレメント１９の回転軸線は、保持エレメント７の旋回１１の軸線に対して平行に配置されている。回転可能なエレメント１９として形成された第１の端部８は、この実施バリエーションでは、それぞれ１つの保持体２６を介して基体４に結合されている。第１の端部８は、基体４に設けられたガイド２７に沿って保持体２６によってガイドすることができる。
【００４３】
図８は、ホルダ１の第３の実施バリエーションを斜視図で示している（この実施バリエーションは、特にモータ駆動装置に適しているように構成されている）。図６および図７に関する説明が参照される。
【００４４】
第２の実施バリエーションとは異なり、回転可能なエレメント１９は、ホルダ１の駆動エレメント２０（たとえば歯車等）を介して、保持エレメント７を旋回させるために駆動可能である。駆動エレメント２０は、基体４に配置されている。
【００４５】
図９は、第２の実施バリエーションによるホルダ１の出発位置１４での斜視図である。図１０は、保持エレメント７の旋回１１中の、図９に示したホルダ１を示している。図１１は、完全に旋回させた位置にある、図９および図１０に示したホルダ１を示している。図９〜図１１を以下に一緒に説明する。図６および図７に関する説明が参照される。
【００４６】
出発位置１４では、第１の端部８（この実施バリエーションでは回転可能なエレメント１９）が、ガイド２７の係止位置１５に配置されている。部分的に旋回させた位置（図１０）では、第１の端部８はガイド２７の滑り領域１６に位置している。第１の端部８は、保持体２６を介して基体４に対してガイドされる。ピン１２および保持エレメント７は、変位２８によって、第１のガイドレール５に沿って変位する。完全に旋回させた位置（図１１）では、ピン１２は、このピン１２が基体４の領域に配置されるように、第１のガイドレール５に対して変位している。
【図１】
2021526475.tif 000003
【図２】
2021526475.tif 000004
【図３】
2021526475.tif 000005
【図４】
2021526475.tif 000006
【図５】
2021526475.tif 000007
【図６】
2021526475.tif 000008
【図７】
2021526475.tif 000009
【図８】
2021526475.tif 000010
【図９】
2021526475.tif 000011
【図１０】
2021526475.tif 000012
【図１１】
2021526475.tif 000013
【国際調査報告】
2021526475.tif 000014
2021526475.tif 000015
2021526475.tif 000016
2021526475.tif 000017